(57)【特許請求の範囲】
【請求項１】
パノラマサンルーフのモータ構造であって、
パノラマサンルーフガラスおよびロールブラインドの移動用動力を提供する１つのモータ、
前記モータの一側に連結されて、動力を伝達する回転軸、
前記回転軸を中心に両側に一定間隔を置いて位置し回転する第１駆動ギアおよび第２駆動ギア、
前記第１駆動ギアの上部に結合されて、第１駆動ギアと同時に回転し、パノラマサンルーフガラスに連結されて、開閉を調節する第１駆動部、
前記第２駆動ギアの上部に結合されて、第２駆動ギアと同時に回転し、ロールブラインドに連結されて、開閉を調節する第２駆動部、
前記第１駆動部および第２駆動部の上部に各々結合されて、上下方向に移動可能になっている第１駆動リレーおよび第２駆動リレー、および
前記モータ、第１駆動リレーおよび第２駆動リレーに電源を供給するバッテリ、
を含んでなることを特徴とするパノラマサンルーフガラスおよびロールブラインドの同時駆動のための単一モータ構造。
【請求項２】
前記第１駆動リレーおよび第２駆動リレーの下端には電流が流れる電導体が連結され、前記電導体の下端には電導体と一定間隔を置いて電流の流れに応じて一時的に磁性を帯びる第１電磁石および第２電磁石が位置し、第１スイッチおよび第２スイッチを閉じれば、前記バッテリから電源が供給され、前記第１駆動リレーおよび第２駆動リレーが下方に移動し、第１スイッチおよび第２スイッチを開けば、前記バッテリから電源が遮断され、前記第１駆動リレーおよび第２駆動リレーが上方に移動することを特徴とする請求項１に記載のパノラマサンルーフガラスおよびロールブラインドの同時駆動のための単一モータ構造。
【請求項３】
前記第１駆動ギアおよび第２駆動ギアの下部に各々結合され、第１駆動ギアおよび第２駆動ギアに弾性力を提供する第１スプリングおよび第２スプリングをさらに含んでなることを特徴とする請求項２に記載のパノラマサンルーフガラスおよびロールブラインドの同時駆動のための単一モータ構造。
【請求項４】
前記モータの一側面には、前記第１駆動ギアおよび前記第２駆動ギア、前記第１駆動部および前記第２駆動部、前記第１駆動リレーおよび前記第２駆動リレー、ならびに前記第１スプリングおよび前記第２スプリングが固定されるように下部カバーおよび上部カバーが結合されていることを特徴とする請求項３に記載のパノラマサンルーフガラスおよびロールブラインドの同時駆動のための単一モータ構造。
【請求項５】
前記下部カバーおよび上部カバーの一側には、前記第１電磁石および前記第２電磁石に電源を供給するための第１連結部および第２連結部が形成されていることを特徴とする請求項４に記載のパノラマサンルーフガラスおよびロールブラインドの同時駆動のための単一モータ構造
【発明の詳細な説明】
【技術分野】
【０００１】
本発明は、パノラマサンルーフガラスおよびロールブラインドの同時駆動のための単一モータ構造に係り、より詳しくは、パノラマサンルーフガラスおよびロールブラインドを１つのモータで同時に駆動するパノラマサンルーフガラスおよびロールブラインドの同時駆動のための単一モータ構造に関する。
【背景技術】
【０００２】
最近の車両には、車両のルーフパネルの大部分の面積を占めて選択的に開放でき、ガラスなどからなり清々しい開放感と優れた美的デザインを有するパノラマサンルーフが多く適用されている。
このようなパノラマサンルーフにより、車両走行時および停車時に自然の太陽光を沢山浴びるだけでなく、車両走行中にパノラマサンルーフを開放すれば、清々しい走行感を感じることができる。
【０００３】
このように自動車のルーフを既存の鋼板材質ではなくガラスまたはファイバー材質で維持しなければならないことにより、従来のパノラマサンルーフにおいては、図１に示すように、車両の外表面に位置したパノラマサンルーフガラス１が車両の前後方向に移動し、車両の外表面の内側には太陽光などを遮るための電動式ロールブラインド２が位置して車両の前後方向に移動するようになっている。
また、車両ルーフの後方３には、パノラマサンルーフガラス１および電動式ロールブラインド２を移動させるためのモータおよび作動に必要な駆動部が位置している。
【０００４】
しかし、従来のパノラマサンルーフ構造においては、図２および図３に示すように、パノラマサンルーフガラス１およびロールブラインド２を移動させるために各々別途のモータ４，５を使い、モータと駆動部が常時連結され、各々の駆動部を個別作動させる方式になっているため、部品の摩耗現象や車両の振動による騒音などが発生する問題があった。
また、パノラマサンルーフアセンブリの内部に別途２つのモータ４，５が取り付けられ、大きい体積を占めることによって車体設計時に空間確保に多くの困難があるだけでなく、別途２つのモータ４，５を使うことによって車両重量が増加して、燃費も良くないという問題があった。
【先行技術文献】
【特許文献】
【０００５】
【特許文献１】特開２０１１−２３４４９０号公報
【発明の概要】
【発明が解決しようとする課題】
【０００６】
本発明は前記問題点を解決するためになされたものであって、本発明の目的とするところは、パノラマサンルーフガラスおよびロールブラインド駆動用モータを１個にすると同時にリレー原理を利用したモータ連結構造を適用して、モータが取り付けられる体積および重量が減少できるパノラマサンルーフガラスおよびロールブラインドの同時駆動のための単一モータ構造を提供することにある。
【課題を解決するための手段】
【０００７】
前記目的を達成するための本発明は、パノラマサンルーフのモータ構造であって、パノラマサンルーフガラスおよびロールブラインドの移動用動力を提供する１つのモータ、前記モータの一側に連結されて、動力を伝達する回転軸、
前記回転軸を中心に両側に一定間隔を置いて位置し回転する第１駆動ギアおよび第２駆動ギア、前記第１駆動ギアの上部に結合されて、第１駆動ギアと同時に回転し、パノラマサンルーフガラスに連結されて、開閉を調節する第１駆動部、
前記第２駆動ギアの上部に結合されて、第２駆動ギアと同時に回転し、ロールブラインドに連結されて、開閉を調節する第２駆動部、前記第１駆動部および第２駆動部の上部に各々結合されて、上下方向に移動可能になっている第１駆動リレーおよび第２駆動リレー、および前記モータ、第１駆動リレーおよび第２駆動リレーに電源を供給するバッテリ、を含んでなることを特徴とする。
【０００８】
前記第１駆動リレーおよび第２駆動リレーの下端には電流が流れる電導体が連結され、前記電導体の下端には電導体と一定間隔を置いて電流の流れに応じて一時的に磁性を帯びる第１電磁石および第２電磁石が位置し、第１スイッチおよび第２スイッチを閉じれば、前記バッテリから電源が供給され、前記第１駆動リレーおよび第２駆動リレーが下方に移動し、第１スイッチおよび第２スイッチを開けば、前記バッテリから電源が遮断され、前記第１駆動リレーおよび第２駆動リレーが上方に移動することを特徴とする。
【０００９】
前記第１駆動ギアおよび第２駆動ギアの下部に各々結合され、第１駆動ギアおよび第２駆動ギアに弾性力を提供する第１スプリングおよび第２スプリングをさらに含んでなることを特徴とする。
【００１０】
前記モータの一側面には、前記第１駆動ギアおよび前記第２駆動ギア、前記第１駆動部および前記第２駆動部、前記第１駆動リレーおよび前記第２駆動リレー、ならびに前記第１スプリングおよび前記第２スプリングが固定されるように下部カバーおよび上部カバーが結合されていることを特徴とする。
【００１１】
前記下部カバーおよび上部カバーの一側には、第１電磁石および第２電磁石に電源を供給するための第１連結部および第２連結部が形成されていることを特徴とする。
【発明の効果】
【００１２】
本発明によれば、従来のパノラマサンルーフガラスおよびロールブラインドを各々駆動するために使われた２つのモータおよび駆動部を１つにすることでモータおよび駆動部が占めていた体積を減らして車体設計時の空間確保が有利となる。
また、１つのモータおよび駆動部を使うことによって車両重量を減少させ全般的な燃費向上が期待できる。
さらに、使用者が必要とする場合、選択的にスイッチを作動する場合にのみ、モータと駆動ギアが結合され、パノラマサンルーフガラスまたはロールブラインドを開閉することができるので、内部ギアの耐久性がより向上できることは勿論、各種部品の間から発生する騒音および振動がより減少できる効果がある。
【図面の簡単な説明】
【００１３】
【図１】従来のパノラマサンルーフを示す斜視図である。
【図２】従来のパノラマサンルーフガラスおよびロールブラインドを各々駆動するために使われたパノラマサンルーフのモータ構造を示す側面図である。
【図３】従来のパノラマサンルーフガラスおよびロールブラインドを各々駆動するために使われたパノラマサンルーフのモータ構造を示す概略図である。
【図４】本発明による１つのモータ構造を示す側面図である。
【図５】本発明によるモータ構造を示す概略図である。
【図６】本発明によるモータ構造を示す斜視図である。
【図７】図６の底面斜視図である。
【図８】本発明のモータ構造から上部カバーを除外した内部構造を示す斜視図である。
【図９】本発明に用いられる駆動リレーが作動する過程を示す概略図である。
【図１０】本発明に用いられる駆動リレーが作動する過程を示す概略図である。
【図１１】図６のＡ−Ａによる断面図で、パノラマサンルーフガラスおよびロールブラインドが選択的に作動する過程を示す概略図である。
【図１２】図６のＡ−Ａによる断面図で、パノラマサンルーフガラスおよびロールブラインドが選択的に作動する過程を示す概略図である。
【図１３】図６のＡ−Ａによる断面図で、パノラマサンルーフガラスおよびロールブラインドが選択的に作動する過程を示す概略図である。
【図１４】図６のＡ−Ａによる断面図で、パノラマサンルーフガラスおよびロールブラインドが選択的に作動する過程を示す概略図である。
【発明を実施するための形態】
【００１４】
以下、添付図面に基づいて本発明をより詳細に説明する。
本発明のパノラマサンルーフガラスおよびロールブラインドの同時駆動のための単一モータ構造は、パノラマサンルーフのモータ構造でパノラマサンルーフガラスおよびロールブラインドの移動用動力を提供する１つのモータ１０、モータ１０の一側に連結されて、動力を伝達する回転軸１１、回転軸１１を中心に両側に一定距離だけ離隔するように位置して回転する第１駆動ギア２１および第２駆動ギア２２、第１駆動ギア２１の上部に結合されて、第１駆動ギア２１と同時に回転し、パノラマサンルーフガラスに連結されて、開閉を調節する第１駆動部３１、第２駆動ギア２２の上部に結合されて、第２駆動ギア２２と同時に回転し、ロールブラインドに連結されて、開閉を調節する第２駆動部３２、第１駆動部３１および第２駆動部３２の上部に各々結合されて、上下方向に移動可能になっている第１駆動リレー４１および第２駆動リレー４２、およびモータ１０、第１駆動リレー４１および第２駆動リレー４２に電源を供給するバッテリ６０、を含んでなることを特徴とする。
【００１５】
図４および図５に示すように、パノラマサンルーフガラスおよびロールブラインドを駆動するために各々別のモータが使われた従来技術とは異なり、１つのモータ１０だけを使い、１つのモータ１０に別途駆動部を連結して、使用者の必要に応じて選択的にパノラマサンルーフガラスまたはロールブラインドを開閉できるようになっている。
すなわち、バッテリ６０に連結されている１つのモータ１０が回転すれば、モータ１０の一側に連結されている回転軸１１が同時に回転し、回転軸１１が回転するこよによって駆動ギアおよび駆動部にモータ１０の回転力を伝達して、パノラマサンルーフガラスまたはロールブラインドが開閉される。
【００１６】
回転軸１１の両側には、回転軸１１と噛み合われるかまたは離れるように、一定距離だけ離隔された第１駆動ギア２１および第２駆動ギア２２が位置する。
第１駆動ギア２１および第２駆動ギア２２は円板形態のギアであることが好ましく、モータ１０および回転軸１１の回転力の伝達を受けて駆動部を回転させるために回転軸１１の側面と接して回転方向を変えるウォームギアであることが好ましい。
【００１７】
第１駆動ギア２１および第２駆動ギア２２の上部には各々第１駆動部３１および第２駆動部３２が結合され、第１駆動ギア２１および第２駆動ギア２２の回転に応じて同時に回転するようになっており、第１駆動部３１および第２駆動部３２は各々パノラマサンルーフガラスまたはロールブラインドとワイヤなどで連結されて開閉を調節する。
本実施形態においては、第１駆動ギア２１および第１駆動部３１がパノラマサンルーフガラスに連結され、第２駆動ギア２２および第２駆動部３２がロールブラインドに連結されるものとして説明したが、車両の種類や結合位置によって連結方向は容易に変更され得る。
【００１８】
また、第１駆動部３１および第２駆動部３２の上部には各々第１駆動リレー４１および第２駆動リレー４２が結合されるが、駆動リレーは直線形態で形成されて、各々の駆動部を上下方向に移動させる。
さらに、第１駆動リレー４１および第２駆動リレー４２の下端には電流が流れる電導体８３が連結されるが、第１駆動部３１および第２駆動部３２との結合空間を考慮し、第１駆動リレー４１および第２駆動リレー４２より相対的に小さく形成されることが好ましく、電導体８３の下端には電導体８３と一定距離だけ離隔されたまま電流の流れに応じて一時的に磁性を帯びる第１電磁石８１および第２電磁石８２が位置する。
【００１９】
第１電磁石８１および第２電磁石８２は各々バッテリ６０と連結されているが、使用者が選択的に作動を調節できるように各々第１スイッチ８４および第２スイッチ８５によってバッテリ６０と連結されている。
したがって、図１０に示すように、使用者が第１スイッチ８４および第２スイッチ８５を閉じれば、バッテリ６０から電源が供給されて第１電磁石８１および第２電磁石８２が作動し、これにより、第１駆動リレー４１および第２駆動リレー４２が下方に移動する。
【００２０】
図９に示すように、使用者が第１スイッチ８４および第２スイッチ８５を開けば、バッテリ６０から電源が遮断されて、第１電磁石８１および第２電磁石８２が遮断され、これにより、第１駆動リレー４１および第２駆動リレー４２が上方に移動する。
但し、第１駆動リレー４１および第２駆動リレー４２が第１電磁石８１および第２電磁石８２と一定距離だけ離隔されている状態で下方に移動する過程は、スイッチを閉じて電磁石を作動させることによって達成されるが、第１駆動リレー４１および第２駆動リレー４２を再び元の位置に復帰させることはスイッチを開いて電磁石を遮断させるだけでは不可能であるため、第１駆動ギア２１および第２駆動ギア２２の下部には各々第１スプリング７１および第２スプリング７２が結合される。
【００２１】
したがって、第１駆動ギア２１および第２駆動ギア２２には持続的に上方向への弾性力が作用しており、スイッチを閉じれば、スプリングの弾性力より相対的に強い電磁石の結合力が発生して、駆動ギアおよび駆動部を下方向に移動させつつ、モータ１０の回転軸１１と結合させることができ、スイッチを開けば、電磁石の結合力が遮断されるため、スプリングの弾性力によって駆動ギアおよび駆動部が上方向に移動しつつ、元の位置に復帰させることができる。
【００２２】
図６〜図８に示す通り、モータ１０の一側面には駆動ギア、駆動部、駆動リレー、スプリングなどが位置して固定されるように下部カバー５１および上部カバー５２が結合されるが、下部カバー５１および上部カバー５２の一側には第１電磁石８１および第２電磁石８２に電源を供給するための第１連結部９１および第２連結部９２が形成されることが好ましい。
【００２３】
以下、本発明のモータ構造が作動する細部過程を図１１〜図１４を参照してより詳細に説明する。
図１１はパノラマサンルーフガラスおよびロールブラインドが全て作動しない平常時の状態を示す概略図である。図示の通り、平常時にはスプリングの弾性力によって駆動ギアおよび駆動リレーを上側に押すため、モータ１０の回転軸１１から第１駆動ギア２１および第２駆動ギア２２が全て離脱し、モータ１０が回転してもパノラマサンルーフガラスおよびロールブラインドは作動しない。
【００２４】
使用者がパノラマサンルーフガラスだけを作動しようとする場合には、パノラマサンルーフガラスに連結されている第１スイッチ８４を作動させ、これにより、図９および図１０で説明した方式で第１駆動リレー４１が下方に移動しつつ、第１駆動ギア２１を下方へ下降させる（図１２参照）。
この時、ロールブラインドを作動する第２駆動ギア２２には何の力も伝えられないため、第２スプリング７２による弾性力が作用し続け、第２駆動ギア２２が回転軸１１から離脱された状態を維持し、第１駆動リレー４１が第１駆動ギア２１を下降させる力は第１スプリング７１の弾性力より相対的に強く形成され持続されることは上記の通りである。
【００２５】
使用者がロールブラインドだけを作動しようとする場合には、ロールブラインドに連結されている第２スイッチ８５を作動させ、上記方式によって第２駆動ギア２２を下方へ下降させ、回転軸１１と結合することによって作動がなされ、作動を望まないパノラマサンルーフガラスには、スプリングの弾性力が加えられ続け、回転軸１１から離脱されているので作動しない（図１３参照）。
使用者がパノラマサンルーフガラスとロールブラインドを同時に作動しようとする場合には、第１スイッチ８４および第２スイッチ８５を同時に閉じて、第１駆動リレー４１および第２駆動リレー４２が同時に作動しつつ、第１駆動ギア２１および第２駆動ギア２２が回転軸１１に同時に噛み合うように下降させることもできる。
【００２６】
このように、本発明は、パノラマサンルーフガラスまたはロールブラインドを作動させるために、１つのモータ１０に各々の駆動ギアを選択的に結合する構造とすることによって、パノラマサンルーフアセンブリの体積および重量をさらに減らすことができ、これにより、車体設計時の利点および車両重量の減少を達成できる効果がある。
【００２７】
以上、本発明に関する好ましい実施形態を説明したが、本発明は前記実施形態に限定されず、本発明の属する技術範囲を逸脱しない範囲での全ての変更が含まれる。
【符号の説明】
【００２８】
１０  ・・・モータ
１１  ・・・回転軸
２１  ・・・第１駆動ギア
２２  ・・・第２駆動ギア
３１  ・・・第１駆動部
３２  ・・・第２駆動部
４１  ・・・第１駆動リレー
４２  ・・・第２駆動リレー
５１  ・・・下部カバー
５２  ・・・上部カバー
６０  ・・・バッテリ
７１  ・・・第１スプリング
７２  ・・・第２スプリング
８１  ・・・第１電磁石
８２  ・・・第２電磁石
８３  ・・・伝導体
８４  ・・・第１スイッチ
８５  ・・・第２スイッチ
９１  ・・・第１連結部
９２  ・・・第２連結部
【図１】
0006000531.tif 000002
【図２】
0006000531.tif 000003
【図３】
0006000531.tif 000004
【図４】
0006000531.tif 000005
【図５】
0006000531.tif 000006
【図６】
0006000531.tif 000007
【図７】
0006000531.tif 000008
【図８】
0006000531.tif 000009
【図９】
0006000531.tif 000010
【図１０】
0006000531.tif 000011
【図１１】
0006000531.tif 000012
【図１２】
0006000531.tif 000013
【図１３】
0006000531.tif 000014
【図１４】
0006000531.tif 000015